(57)【要約】【課題】複数方向から目視した際に、それぞれの目視方向に応じて表示部の見え方を変化させることができるインジケータおよび電子機器を提供する。【解決手段】インジケータ１５は、発光素子１７から照射された光１６を受け入れる入射面２５と、入射面２５に対して交差する面に沿う出射面２１と、入射面２５および出射面２１に対して交差し、平滑面より反射率が高い反射面２４とを有する。【選択図】図２
2008224818.tif 000002
【特許請求の範囲】
【請求項１】
光源から照射された光を受け入れる入射面と、
前記入射面に対して交差し、前記入射面より反射率が高い反射面と、
前記入射面及び前記反射面に対して対向するように設けられた出射面と、を備えたインジケータ。
【請求項２】
前記入射面の一部は、凹凸加工が施されていることを特徴とする請求項１記載のインジケータ。
【請求項３】
前記反射面は、塗膜が形成されている、シートが貼付けされている、シボ加工が施されている、もしくは反射層が蒸着されていることを特徴とする請求項１または請求項２記載のインジケータ。
【請求項４】
筐体と、
光源から照射された光を受け入れ、凹凸加工が施された入射面と、前記入射面に対して交差し、前記入射面より反射率が高い反射面と、前記入射面及び前記反射面に対して対向するように設けられた出射面と、を有するインジケータと、を備え、
前記出射面のみが筐体の外部に露出するように設けられている携帯電子機器。
【発明の詳細な説明】
【技術分野】
【０００１】
本発明は、光源から照射された光を受け入れて出射面に導くことで出射面を発光させるインジケータおよび携帯電子機器に関する。
【背景技術】
【０００２】
従来のインジケータのなかには、発光素子（以下、「光源」という）から照射された光を透明カバーで受けたとき、明るく、かつ、視野角の広い表示部を確保するために、透明カバーの前面にシボ加工または印刷等で光拡散処理が施されたものが知られている。
【０００３】
このインジケータによれば、一方向から目視されたとき、明るく、かつ、視野角の広い表示部を確保することが可能である（例えば、特許文献１参照）。
【０００４】
一方、他のインジケータとして、１つの光源から照射された光を、第１の発光方向と第２の発光方向との２方向に分け、それぞれの方向に分けた光を利用して複数方向に表示を行うインジケータが知られている。
【０００５】
このインジケータによれば、光源の光を利用して複数方向に表示を行うことで、複数方向からの目視が可能である（例えば、特許文献２参照）。
【特許文献１】特開平８−３０２１１号公報
【特許文献２】特開２００２−１０８２５６号公報
【発明の開示】
【発明が解決しようとする課題】
【０００６】
しかしながら、特許文献１のインジケータは、１つの光源からの光を受けたとき、１方向の目視に対して均一に表示するものである。
【０００７】
また、特許文献２のインジケータは、複数方向からの目視が可能であるが、それぞれの表示は均一に光るものである。
よって、インジケータを複数方向から目視した際に、それぞれの目視方向に対して表示の見え方は均一である。
このため、インジケータを複数方向から目視した際に、それぞれの目視方向に応じて表示部の見え方を変化させることができる技術の実用化が望まれていた。
【０００８】
本発明は、前述した課題を解決するためになされたもので、その目的は、インジケータを複数方向から目視した際に、それぞれの目視方向に応じて表示部の見え方を変化させることができるインジケータおよび携帯電子機器を提供することにある。
【課題を解決するための手段】
【０００９】
本発明のインジケータは、光源から照射された光を受け入れる入射面と、前記入射面に対して交差し、前記入射面より反射率が高い反射面と、前記入射面及び前記反射面に対して対向するように設けられた出射面と、を備えている。
【００１０】
本発明のインジケータにおいては、入射面に対して交差する反射面の反射率が入射面の反射率より高いため、入射面から入射した光が反射面において反射し、インジケータ内部における光の散乱が顕著となる。
従って、本発明のインジケータにおいては、出射面から複数方向に異なる光が出射され、出射面の目視方向に応じて、出射面の見え方を変化させることができる。
【００１１】
また、本発明のインジケータは、前記入射面の一部は、凹凸加工が施されていることを特徴とする。
本発明のインジケータにおいては、入射面の一部に凹凸加工が施されているため、光源から照射された光が入射面から入射する段階で散乱し、これによりインジケータ内部における光の散乱が顕著となる。
【００１２】
さらに、本発明のインジケータは、前記反射面は、塗膜が形成されている、シートが貼付けされている、シボ加工が施されている、もしくは反射層が蒸着されていることを特徴とする。
本発明のインジケータにおいては、反射面を所望の反射率とするために、反射面に塗膜を形成する場合には塗料を選択することにより反射面を所望色に形成でき、反射面にシートを貼付ける場合にはシートを選択することにより反射面を所望色に形成でき、反射面にシボ加工を施す場合には反射面に塗膜、噴霧、貼付等を施す別工程を不要にでき、反射面に反射層を蒸着する場合には例えば反射面に鏡面を形成すれば反射面の反射率を高くできる。
【００１３】
さらに、本発明の携帯電子機器は、筐体と、光源から照射された光を受け入れ、凹凸加工が施された入射面と、前記入射面に対して交差し、前記入射面より反射率が高い反射面と、前記入射面及び前記反射面に対して対向するように設けられた出射面と、を有するインジケータと、を備え、前記出射面のみが筐体の外部に露出するように設けられている。
【００１４】
本発明の携帯電子機器においては、出射面から複数方向に異なる光が出射されるインジケータを備えることにより、出射面の見え方を変化させることができるので、電子機器の使い勝手を高めることができる。
【発明の効果】
【００１５】
本発明のインジケータおよび携帯電子機器によれば、インジケータを複数方向から目視した際に、それぞれの目視方向に応じて表示部の見え方を変化させることができるという効果を有する。
【発明を実施するための最良の形態】
【００１６】
（第１実施形態）
以下、本発明に係る実施形態を図面に基づいて詳細に説明する。
図１に示すように、電子機器１０は、枠体１１の表面１２に開口部１３が形成され、開口部１３に臨むように第１実施形態のインジケータ１５が設けられ、枠体１１内にインジケータ１５に光１６を照射する光源となる発光素子（ＬＥＤ）１７を備える。
発光素子１７から光１６を照射することで、照射された光１６をインジケータ１５で受け入れ、受け入れた光でインジケータ１５の出射面２１を発光させる。
【００１７】
図２〜図３に示すように、第１実施形態のインジケータ１５は、発光素子１７の前方に設けられたものである。
このインジケータ１５は、発光素子１７の光軸２２と平行に形成された上面２３と、上面２３に対して平行に形成された下面（以下、「反射面」という）２４と、上面２３の後端部および反射面２４の後端部に亘って形成され、それぞれの面２３，２４に対して直交する入射面２５と、反射面２４の前端部に設けられた段部２６と、段部２６および上面２３の各前端部に亘って形成された出射面２１と、左側面２７および右側面２８を有する透光性に優れたブロックである。
【００１８】
入射面２５は、発光素子１７から照射された光１６を受け入れるために、照射された光１６の光軸（すなわち、発光素子１７の光軸）２２に対して直交（交差）するように形成された面である。
【００１９】
この入射面２５は、発光素子１７から照射された光１６を透過可能に表面処理されるとともに、平滑処理が施されている。
入射面２５を、発光素子１７から照射された光１６が透過するように表面処理することで、入射面２５で光１６をインジケータ１５内に効率よく受け入れることができる。
【００２０】
また、入射面２５に平滑処理を施すことで、入射面２５を、発光素子１７から照射された光１６が効率よく透過するように簡単に表面処理できる。
【００２１】
反射面２４は、入射面２５に対して直交（交差）されるとともに、出射面２１に対して交差されて設けられ、平滑面より反射率が高く形成されている。
すなわち、反射面２４は、入射面２５で受け入れた光３１のうち、残りの光３１Ｂが導かれるように入射面２５に対して直交（交差）されて設けられ、残りの光３１Ｂを出射面２１に向けて反射させるように、出射面２１の対角位置に設けられている。
反射面２４は、塗膜が形成されることにより、反射率を平滑面より高くしたものである。塗膜を形成する手段としては、印刷、塗布処理や噴霧処理等が知られている。
【００２２】
反射面２４を入射面２５および出射面２１に対して交差させ、かつ、反射面２４の反射率を平滑面の反射率より高くすることで、入射面２５から受け入れた光を反射面２４で反射させ、これによりインジケータ１５内部における光の散乱を顕著にできる。
また、反射面２４を、反射面２１の対角位置に設けることで、残りの光３１Ｂを出射面２１に向けて効率よく反射できる。
さらに、反射面２４に塗膜を形成することで、塗膜を選択して反射面を所望色に形成できる。ここで、塗膜色としては、通常、光の散乱を顕著にするために白色の印刷が用いられる。
【００２３】
なお、反射面２４に形成する塗膜として、例えば赤い塗料を選択すれば、出射面２１を目部３４で目視した際には赤く見え、出射面２１を目部３３で目視した際には発光素子１７の発色が直接見えるぎらぎら感が得られ、出射面２１を目部３３、３４の中間位置から目視した際には赤いぎらぎら感が得られる。
【００２４】
出射面２１は、反射面２４に対して角度θ１傾斜させて、入射面２５に対して交差させた状態に形成することで、入射面２５の対角位置に設けられるとともに反射面２４の対角位置に設けられている。
この出射面２１には、入射面２５で受け入れた光３１のうち、一部の光３１Ａが直接導かれ、かつ、残りの光３１Ｂが反射面２４で反射されて導かれる。
【００２５】
インジケータ１５は、枠体１１の開口部１３に出射面２１が臨むように設けられ、枠体１１の表面１２で上面２３が覆われ、表面１２の段部１２Ａが段部２６に係合されている。
すなわち、インジケータ１５は、出射面２１が枠体１１の外部に臨むように枠体１１に取り付けられている。
【００２６】
この状態で、入射面２５の後方に発光素子１７が設けられている。この発光素子１７は、枠体１１内に収容されている。
ここで、インジケータ１５の上面２３を、枠体１１の表面１２で覆うことで、入射面２５からインジケータ１５内に入射した光が上面２３から上方に逃げることを防止できる。
【００２７】
以上説明したように、第１実施形態の電子機器１０およびインジケータ１５によれば、入射面２５および出射面２１に対して反射面２４を交差させた。
加えて、反射面２４の反射率を平滑面より高くした。よって、入射面２５から受け入れた光を反射面２４で反射させることで、インジケータ１５内部における光の散乱を顕著にできる。
これにより、出射面２１から複数方向に異なる光が出射され、出射面２１の目視方向に応じて、出射面２１の見え方を変化させることができる。
【００２８】
以下、第１実施形態のインジケータ１５の作用を図２に基づいて説明する。
第１実施形態のインジケータ１５によれば、発光素子１７から光１６が照射され、照射された光１６を入射面２５で受け入れる。
入射面２５で受け入れた光３１のうち、一部の光３１Ａを出射面２１に直接導くとともに、残りの光３１Ｂを反射面２４で反射させて出射面２１に導く。
【００２９】
ここで、反射面２４を、残りの光３１Ｂが出射面２１に向けて反射するように反射率を平滑面より高くすることで、残りの光３１Ｂを出射面２１に効率よく導くことができる。
これにより、一部の光３１Ａや残りの光３１Ｂを出射面２１に効率よく導くことが可能になり、表示部２１の目視が容易になる。
【００３０】
また、残りの光３１Ｂを反射面２４で反射させることで、残りの光３１Ｂを、出射面２１に直接導かれた一部の光３１Ａに対して異ならせることができる。
よって、一部の光３１Ａが出射される側から出射面２１を目部３３で目視した際と、残りの光３１Ｂが出射される側から出射面２１を目部３４で目視した際とにおいて、出射面２１の見え方を変化させることができる。
【００３１】
（変形例１）
ところで、発光素子１７から照射された光１６のうち、一部の光３１Ａが出射面２１に直接導かれる。よって、発光素子１７の光軸２２上から出射面２１を見たとき、発光素子１７が直接目視される。
このため、発光素子１７の形状が、いわゆる「目玉観」となって目視されるとともに、平滑面と比べて新しい見え方を提供することができる。
なお、発光素子１７の形状を「目玉観」として目視されないようにするには、入射面２５にシボ加工を施したり、あるいはインジケータ１５自体を乳白色とすることにより対応可能である。
【００３２】
そこで、変形例１のインジケータにおいて、入射面２５に凸凹加工処理を施した。
入射面２５に凸凹加工処理を施すことで、発光素子１７から照射された光１６を入射面２５で乱反射させることができる。
入射面２５の凸凹加工処理としては、一例として、ダイヤカット加工が該当する。
【００３３】
これにより、発光素子１７の光軸２２上から出射面２１を目視した際に、発光素子１７の形状を不明瞭にして「目玉観」を軽減することができるとともに、目部３３で目視した際と目部３４で目視した際との差異をはっきりできる。
【００３４】
（変形例２）
第１実施形態のインジケータ１５は、残りの光３１Ｂを出射面２１に向けて効率よく反射（乱反射）させる手段として反射面２４に塗膜を形成したが、反射面２４に他の加工処理を施すことも可能である。
【００３５】
変形例２のインジケータは、例えば、反射面２４を塗膜に代えて、シートを貼付することや、シボ加工を施すことや、反射層を蒸着させることも可能である。
なお、シボ加工とは、表面を凹凸状に形成することをいう。
【００３６】
反射面２４にシートを貼付することで、シートを選択して反射面２４を所望色に形成できる。
反射面２４にシボ加工を施すことで、反射面２４に塗膜、噴霧、貼付等を施す別工程を不要にできる。
反射面２４に反射層を蒸着することで、例えば、反射面２４に鏡面を形成する形成することが可能になり、反射面２４の反射率を高くできる。
【００３７】
つぎに、第２実施形態を図４および図５に基づいて説明する。なお、第２実施形態において第１実施形態のインジケータ１５と同一類似部材については同じ符号を付して説明を省略する。
【００３８】
（第２実施形態）
図４および図５に示すように、第２実施形態のインジケータ４０は、出射面として第１〜第３の出射面（出射面）４１，４２，４３を３面備えたものである。
【００３９】
具体的には、インジケータ４０は、発光素子１７の光軸２２と平行に形成された上反射面（反射面）４４と、上反射面４４に対して平行に形成された下反射面（反射面）４５と、上反射面４４の後端部および下反射面４５の後端部に亘って形成され、それぞれの面４４，４５に対して直交（交差）する入射面２５と、上反射面４４の前端部に設けられた第２出射面４２と、下反射面４５の前端部に設けられた第３出射面４３と、第２出射面４２および第３出射面４３の各前端部に亘って形成された第１出射面４１と、左側面４７および右側面４８を有する透光性に優れたブロックである。
【００４０】
以下、上反射面４４についてのみ説明するが、上反射面４４に対して対称の下反射面４５についても作用は同様である。
上反射面４４は、入射面２５で受け入れた光３１のうち、直進する光３１Ａを除く残りの光３１Ｂの一部である光３１Ｂ−１が導かれるように入射面２５に対して直交（交差）されて設けられ、かつ、残りの光３１Ｂの一部である光３１Ｂ−１を第３出射面４３に向けて反射させるように、第３出射面４３の対角位置に設けられている。
上反射面４４は、塗膜が形成されることにより、反射率を平滑面より高くしたものである。
【００４１】
上反射面４４を入射面２５および第３出射面４３に対して交差させ、かつ、上反射面４４の反射率を平滑面より高くすることで、入射面２５から受け入れた光を上反射面４４で反射させることで、インジケータ４０の内部における光の散乱が顕著になる。
【００４２】
また、上反射面４４を、第３出射面４３の対角位置に設けることで、残りの光３１Ｂの一部である光３１Ｂ−１を第３出射面４３に効率よく導くことができる。
さらに、上反射面４４に塗膜を形成することで、塗膜を選択して反射面を所望色に形成できる。反射により、目部３４で目視した際の輝度を上げるためには、反射面４４に白色の印刷を施すことが望ましい。
【００４３】
下反射面４５は、入射面２５で受け入れた光３１のうち、残りの光３１Ｂの一部である光３１Ｂ−２が導かれるように入射面２５に対して直交（交差）されて設けられ、かつ、残りの光３１Ｂの一部である光３１Ｂ−２を第２出射面４２に向けて反射させるように、第２出射面４２の対角位置に設けられている。
下反射面４５は、塗膜が形成されることにより、反射率を平滑面より高くしたものである。
【００４４】
下反射面４５を入射面２５および第２出射面４２に対して交差させ、かつ、下反射面４５の反射率を平滑面より高くすることで、入射面２５から受け入れた光を下反射面４５で反射させることで、インジケータ４０の内部における光の散乱が顕著になる。
【００４５】
下反射面４５を、第２出射面４２の対角位置に設けることで、残りの光３１Ｂの一部である光３１Ｂ−２を第２出射面４２に効率よく導くことができる。
さらに、下反射面４５に塗膜を形成することで、塗膜を選択して反射面を所望色に形成できる。
【００４６】
第１出射面４１は、入射面２５に前方に位置し、入射面２５と平行に形成することで、入射面２５に臨むように設けられている。
この第１出射面２１には、入射面２５で受け入れた光３１のうち、一部の光３１Ａが直接導かれる。
【００４７】
第２出射面４２は、上反射面４４に対して角度θ２傾斜させて、入射面２５に対して交差させた状態に形成することで、下反射面４５の対角位置に設けられている。
この第２出射面２１には、入射面２５で受け入れた光３１のうち、残りの光３１Ｂの一部である光３１Ｂ−１が下反射面４５で反射されて導かれる。
【００４８】
第３出射面４３は、下反射面２４に対して角度θ２傾斜させて、入射面２５に対して交差させた状態に形成することで、上反射面４４の対角位置に設けられている。
この第３出射面２１には、入射面２５で受け入れた光３１のうち、残りの光３１Ｂの一部である光３１Ｂ−２が上反射面４４で反射されて導かれる。
【００４９】
インジケータ４０は、枠体１１の第１開口部５１に第１出射面４１が臨み、枠体１１の第２開口部５２に第２出射面４２が臨み、枠体１１の第３開口部５３に第３出射面４３が臨むように枠体１１に取り付けられている。
【００５０】
以下、第２実施形態のインジケータ４０の作用を図４に基づいて説明する。
第２実施形態のインジケータ４０によれば、発光素子１７から光１６が照射され、照射された光１６を入射面２５で受け入れる。
【００５１】
入射面２５で受け入れた光３１のうち、一部の光３１Ａを出射面２１に直接導く。同時に、残りの光３１Ｂの一部である光３１Ｂ−１を上反射面４４で反射させて第３出射面４３に導くとともに、残りの光３１Ｂの一部である光３１Ｂ−２を下反射面４５で反射させて第２出射面４２に導く。
【００５２】
ここで、上反射面４４を、残りの光３１Ｂの一部である光３１Ｂ−１が第３出射面４３に向けて反射するように第３出射面４３の対角位置に設けることで、残りの光３１Ｂの一部である光３１Ｂ−１の光を第３出射面４３に効率よく導くことができる。
加えて、上反射面４４の反射率を平滑面より高くすることで、入射面２５から受け入れた光を上反射面４４で反射させることで、インジケータ４０の内部における光の散乱を顕著にできる。
【００５３】
同様に、下反射面４５を、残りの光３１Ｂの一部である光３１Ｂ−２が第２出射面４２に向けて反射するように第２出射面４２の対角位置に設けることで、残りの光３１Ｂの一部である光３１Ｂ−２の光を第２出射面４２に効率よく導くことができる。
加えて、下反射面４５の反射率を平滑面より高くすることで、入射面２５から受け入れた光を下反射面４５で反射させることで、インジケータ４０の内部における光の散乱を顕著にできる。
【００５４】
これにより、一部の光３１Ａを第１出射面４１に効率よく導き、残りの光３１Ｂの一部である光３１Ｂ−１を第３出射面４３に効率よく導き、残りの光３１Ｂの一部である光３１Ｂ−２を第２出射面４２に効率よく導くことが可能になり、第１〜第３の表示部４１，４２，４３の目視が容易になる。
【００５５】
また、残りの光３１Ｂの一部である光３１Ｂ−１を上反射面４４で反射させるとともに、残りの光３１Ｂの一部である光３１Ｂ−２を下反射面４５で反射させることで、残りの光３１Ｂの一部である光３１Ｂ−１および残りの光３１Ｂの一部である光３１Ｂ−２を、第１出射面４１に直接導かれた一部の光３１Ａに対して異ならせることができる。
【００５６】
これにより、第２実施形態のインジケータ４０によれば、一部の光３１Ａが出射される側から第１出射面４１を目部３３で目視した際と、残りの光３１Ｂの一部である光３１Ｂ−１や残りの光３１Ｂの一部である光３１Ｂ−２が出射される側から第２、第３の出射面４２，４３を目部３３で目視した際とにおいて、第１出射面４１の見え方と、第２〜第３の出射面４２，４３の見え方とを変化させることができる。
【００５７】
さらに、第２実施形態のインジケータ４０によれば、第１実施形態と同様の効果が得られる。
【００５８】
（変形例３）
第２実施形態では、上下の反射面４４，４５にそれぞれ塗膜を形成する例について説明したが、上反射面４４の表面処理と、下反射面４５の表面処理とを異ならせることも可能である。
【００５９】
変形例３のインジケータは、例えば、上反射面４４に塗膜を形成し、下反射面４５にシートを貼り付けることで、残りの光３１Ｂの一部である光３１Ｂ−１（すなわち、第３出射面４３）の見え方と、残りの光３１Ｂの一部である光３１Ｂ−２（すなわち、第２出射面４２）の見え方とを、互いに異ならせる（変化させる）ことができる。
【００６０】
ここで、上下の反射面４４，４５の表面処理として塗膜を例示したが、第１実施形態の変形例２と同様に、塗膜に代えて、上下の反射面４４，４５にシートを貼付することや、シボ加工を施すことや、反射層を蒸着させることも可能である。
上下の反射面４４，４５の表面処理をシートや、シボ加工や、反射層の蒸着に代えることで、第１実施形態の変形例２と同様の効果が得られる。
【００６１】
なお、前記第１、第２実施形態では、インジケータ１５，４０を透光性に優れたブロックで形成した例を示したが、これに限らないで、例えば、インジケータを乳白色の材料等の他の材料で形成することも可能である。
インジケータを乳白色の材料で形成することで、発光体としての輝度を上げることができる。
【００６２】
また、前記第１、第２実施形態では、反射面２４や上下の反射面４４，４５を入射面２５に対して直交させた例について説明したが、これに限るものではなく、反射面２４や上下の反射面４４，４５を入射面２５に対して交差させることで同様の効果を得ることも可能である。
【００６３】
さらに、前記第１実施形態では、インジケータ１５の上面２３および段部２６を枠体１１の表面１２で覆うことで、上面２３や段部２６から光が逃げることを防止するように構成した例について説明したが、これに限らないで、上面２３や段部２６を出射面として利用することも可能である。
【産業上の利用可能性】
【００６４】
本発明は、光源から照射された光を受け入れて出射面に導くことで出射面を発光させるインジケータおよび電子機器への適用に好適である。
また、装置携帯電話機、ＰＤＡ、モバイル型のＰＣ、ノート型ＰＣ等の小型電子機器に適用するのに好適である。
【図面の簡単な説明】
【００６５】
【図１】本発明に係るインジケータ（第１実施形態）を備えた電子機器を示す斜視図である。
【図２】第１実施形態に係るインジケータを示す断面図である。
【図３】第１実施形態に係るインジケータを示す斜視図である。
【図４】第２実施形態に係るインジケータを示す断面図である。
【図５】第２実施形態に係るインジケータを示す斜視図である。
【符号の説明】
【００６６】
１０  電子機器
１５，４０  インジケータ
１６  発光素子から照射された光（光源から照射された光）
１７  発光素子（光源）
２１  出射面
２２  光軸
２４  反射面
２５  入射面
３１  入射面で受け入れた光
３１Ａ  一部の光
３１Ｂ  残りの光
３１Ｂ−１  残りの光の略上半分
３１Ｂ−２  残りの光の略下半分
４１  第１出射面（出射面）
４２  第２出射面（出射面）
４３  第３出射面（出射面）
４４  上反射面（反射面）
４５  下反射面（反射面）
【図１】
2008224818.tif 000003
【図２】
2008224818.tif 000004
【図３】
2008224818.tif 000005
【図４】
2008224818.tif 000006
【図５】
2008224818.tif 000007